(57)【要約】【課題】本体ケースの前面に複数の穴があっても、ショートサイクルを起こすことなく、また、前面パネルを傷つけることなく本体ケースをキッチンキャビネットに組み込むことができる加熱調理器を提供する。【解決手段】前面パネル２０は、本体ケース１の前面の上部を覆うように設けられ、前面に対向する裏面の周縁部に枠体２１３、２１４を有する上部パネル２１と、前面の上部パネル２１から露出する下部を覆うように上部パネル２１に設けられ、吸気口に対向する裏面の少なくとも両端の縁部に枠体３１４を有する下部パネル３１と、上部パネル２１の側面に取り外し可能に本体ケース１の側面より外方へ突出して設けられ、本体ケース１をキッチンキャビネットを組み込んだときに、キッチンキャビネットの正面に開けられた挿入口内に臨む本体ケース１の前面と挿入口の側面との間の隙間を塞ぐ側部パネル４１とを備えた。【選択図】図１
2014119190.tif 000002
【特許請求の範囲】
【請求項１】
手前に突出する前面の幅方向の何れかの片側に開口を有し、更に、もう一方の片側の前面に吸気口を有する本体ケースと、
前記本体ケースの上部に設けられた天板と、
前記本体ケース内に前記開口に臨むように設置された加熱庫と、
前記本体ケースの前面の開口を覆い、前記加熱庫内の被加熱物を出し入れする扉と、
前記扉に隣接する前記本体ケースの前面を覆うように設けられ、当該前面の幅より長く形成された前面パネルとを有し、
前記前面パネルは、
前記前面の上部を覆うように取り外し可能に設けられ、前記前面に対向する裏面の周縁部に、先端が当該前面に接触する枠体を有する上部パネルと、
前記前面の前記上部パネルから露出する下部を覆うように当該上部パネルに取り外し可能に設けられ、前記吸気口に対向する裏面の少なくとも両端の縁部に、先端が前記上部パネルから露出する前記前面の下部に接触する枠体を有する下部パネルと、
前記上部パネルの側面に取り外し可能に前記本体ケースの側面より外方へ突出して設けられ、前記本体ケースをキッチンキャビネットに組み込んだときに、キッチンキャビネットの正面に開けられた挿入口内に臨む前記本体ケースの前面と当該挿入口の側面との間の隙間を塞ぐ側部パネルとを備えたことを特徴とする加熱調理器。
【請求項２】
前記下部パネルの下端の縁部に枠体が設けられ、この枠体に切欠部が設けられ、
前記切欠部と前記前面とで外部の空気を前記吸気口に導く空気取込口が構成されることを特徴とする請求項１記載の加熱調理器。
【請求項３】
前記吸気口は、前記本体ケースの前面から斜め内側に凹んだ奥の面に複数のスリット状の穴が設けられて構成されていることを特徴とする請求項１又は２記載の加熱調理器。
【発明の詳細な説明】
【技術分野】
【０００１】
本発明は、一般家庭の台所や業務用の厨房などで使用される組み込み型の加熱調理器に関するものである。
【背景技術】
【０００２】
従来の加熱調理器として、本体ケースの前面に出し入れ可能な操作部を備えたものがある。この操作部は、加熱調理器の不使用時、本体ケース内に設けられた収納部に収納されている（例えば、特許文献１参照）。
【先行技術文献】
【特許文献】
【０００３】
【特許文献１】特開２０１０−２３６７４９号公報（図１）
【発明の概要】
【発明が解決しようとする課題】
【０００４】
この種の加熱調理器の中には、操作部の収納部に複数の穴が設けられたものがある。複数の穴を有する収納部の場合、冷却ファンによって本体ケース内に流れる冷却風が穴を通って別の穴から再び本体ケース内に戻るというショートサイクルを起こす虞がある。この現象がおきた場合には、本体ケース内における冷却効果が低下するという課題がある。
【０００５】
本発明は、前述のような課題を解決するためになされたもので、第１の目的は、本体ケースの前面に複数の穴があっても、ショートサイクルを起こすことなく、また、前面パネルを傷つけることなく本体ケースをキッチンキャビネットに組み込むことができる加熱調理器を得るものである。
第２の目的は、本体ケースの前面から吸気しても吸気音を低減でき、吸気口の清掃が容易な加熱調理器を得るものである。
【課題を解決するための手段】
【０００６】
本発明に係る加熱調理器は、手前に突出する前面の幅方向の何れかの片側に開口を有し、更に、もう一方の片側の前面に吸気口を有する本体ケースと、本体ケースの上部に設けられた天板と、本体ケース内に開口に臨むように設置された加熱庫と、本体ケースの前面の開口を覆い、加熱庫内の被加熱物を出し入れする扉と、扉に隣接する本体ケースの前面を覆うように設けられ、当該前面の幅より長く形成された前面パネルとを有し、
前面パネルは、前面の上部を覆うように取り外し可能に設けられ、前面に対向する裏面の周縁部に、先端が当該前面に接触する枠体を有する上部パネルと、前面の上部パネルから露出する下部を覆うように当該上部パネルに取り外し可能に設けられ、吸気口に対向する裏面の少なくとも両端の縁部に、先端が上部パネルから露出する前面の下部に接触する枠体を有する下部パネルと、上部パネルの側面に取り外し可能に本体ケースの側面より外方へ突出して設けられ、本体ケースをキッチンキャビネットに組み込んだときに、キッチンキャビネットの正面に開けられた挿入口内に臨む本体ケースの前面と当該挿入口の側面との間の隙間を塞ぐ側部パネルとを備えたものである。
【発明の効果】
【０００７】
本発明によれば、上部パネルの枠体によって、上部パネルに対向する本体ケースの前面に複数の穴が開いていても、その穴から入り込んだ空気を枠体によって遮蔽し、吸気口に流入するというショートサイクルを防止できる。また、本体ケースをキッチンキャビネットに組み込んだ後に、本体ケースの前面に前面パネルを組み付けられるように構成したので、前面パネルを傷つけることなく、容易に本体ケースをキッチンキャビネットに組み込むことができる。
【図面の簡単な説明】
【０００８】
【図１】実施の形態に係る加熱調理器の外観を示す斜視図である。
【図２】図１の加熱調理器において、下部パネルを取り外して示す正面図である。
【図３】実施の形態の加熱調理器における前面パネルの上部パネル、下部パネル及び右側部パネルを裏側から見て示す斜視図である。
【図４】図３に示す上部パネルに下部パネルのみを組み付けたときの斜視図である。
【図５】下部パネルを組み付けた上部パネルに右側部パネルを組み付けたときの斜視図である。
【図６】上部パネル、下部パネル及び右側部パネルにより構成された前面パネルの正面図、上面図及び側面図である。
【図７】図１の加熱調理器を矢印Ｂ−Ｂ方向から見て示す模試的な加熱調理器の断面図において、加熱調理器の動作時の冷却風の流れを示す図である。
【発明を実施するための形態】
【０００９】
以下、本発明に係る加熱調理器をビルトイン型（組込み型）の加熱調理器に適用した場合を例に説明する。なお、以下に示す図面の形態によって本発明が限定されるものではない。また、各図において、同一の構成には同一の符号を付している。
【００１０】
図１は実施の形態に係る加熱調理器の外観を示す斜視図、図２は図１の加熱調理器において、下部パネルを取り外して示す正面図である。なお、図２に示すＡ−Ａは、吸気口が設けられた前面の部分断面図である。
実施の形態の加熱調理器は、図１に示すように、板金より構成された本体ケース１の上部に設けられた天板２、本体ケース１内に天板２に近接して配置された例えば左加熱コイル、右加熱コイル及び中央加熱コイル、本体ケース１内に左加熱コイルと中央加熱コイルの下方に配置されたグリル加熱庫などを主要部品として備えている。なお、本実施の形態においては、加熱コイルを３つとしているが、これに限定されるものではなく、例えば加熱コイルを２つあるいは４つでもよい。また、中央加熱コイルに代えて、ラジエントヒーターなどの電気ヒーターを用いてもよい。
【００１１】
天板２は、耐熱強化ガラスより構成され、外周端部に額縁状の外枠３が装着された状態で本体ケース１に取り付けられている。この天板２は、サイズが大きく重量があることから、少なくとも天板２の後部に装着された外枠３が本体ケース１にネジで固定されている。天板２には、左加熱コイルに対向する部分に調理鍋の載置位置を示す左載置部４が表示され、右加熱コイルに対向する部分に右載置部５が表示されている。更に、天板２の中央加熱コイルに対向する部分には、中央載置部６が表示されている。
【００１２】
天板２の前面部には、左加熱コイルの動作状態を表示する左表示部７、右加熱コイルの動作状態を表示する右表示部９、中央加熱コイルやグリル加熱庫の動作状態を表示する中央表示部８が設けられている。これらの表示部７、８、９は、例えば、液晶画面やＬＥＤなどの視覚的な表示手段を有し、前述の動作状態の他に、操作部１０に対する入力内容などを表示し、更に、使用者に対して加熱調理器の状態などを報知するように構成されている。
【００１３】
前述の操作部１０は、外枠３の前部に設けられ、左加熱コイル、右加熱コイル、中央加熱コイル及びグリル加熱庫の加熱動作の設定を受け付けるためのキースイッチで構成されている。外枠３の後部には、複数の通気穴を有する排気カバー１１が取り外し可能に設置されている。その排気カバー１１の下方の外枠３には、本体ケース１の内部を冷却した後の冷却風及びグリル加熱庫からの排気を外部に排出するための開口部が設けられている。
【００１４】
本体ケース１の前面の右側の下部には、図２に示すように、スリット状の穴が上下にかつ本体ケース１の幅方向に配列されて構成される吸気口１４が設けられている。この吸気口１４は、図２のＡ−Ａに示すように、本体ケース１の前面から斜め内側に凹んだ奧の面に複数のスリット状の穴が設けられて構成されている。吸気口１４を凹んだ位置に設けることで、平らな面に吸気口を設けた場合と比べ、吸気空間を広く確保することができる。更に、本体ケース１の右側側面の後部及び本体ケース１の背面の吸気口１４と対向する部分に、複数のパンチ穴で構成された吸気口１４ａが設けられている。
【００１５】
本体ケース１の前面の左側には、グリル扉１２が設けられ、その前面の右側には、グリル扉１２に隣接して前面パネル２０が設けられている。グリル扉１２は、本体ケース１内に設けられたグリル加熱庫の前面開口部を開閉自在に覆う扉であり、グリル加熱庫内で調理される魚などの被加熱物をグリル加熱庫内に出し入れできるように、奥行き方向にスライドできるように構成されている。また、グリル扉１２は、本体ケース１をキッチンキャビネットに組み込むときの作業性を容易にするために、また、グリル加熱庫及びグリル扉１２の清掃などメンテナンスを容易にするために、グリル加熱庫に対して取り外し可能に構成されている。
【００１６】
グリル扉１２の左側の側面には、左側部パネル１２ａが設けられている。この左側部パネル１２ａは、裏面に開口を有する箱状に形成され、本体ケース１の左側の側面に取り外し可能に装着されている。左側部パネル１２ａは、キッチンキャビネットの前面に開けられた挿入口から本体ケース１の前面を臨ませたときにできる左側の隙間を塞ぐために設けられている。
【００１７】
前述の前面パネル２０は、上部パネル２１に下部パネル３１と右側部パネル４１とがそれぞれ取り外し可能に取り付けられて構成されている。この前面パネル２０は、図１に示すように、グリル扉１２に隣接する本体ケース１の前面を覆っている。下部パネル３１の下部と本体ケース１の前面とで、室内の空気を吸気口１４に導く空気取込口３１９が構成されている。この状態で、下部パネル３１を上部パネル２１から取り外した場合には、図２に示すように、吸気口１４が露出する。
【００１８】
次に、上部パネル２１、下部パネル３１及び右側部パネル４１の構造について、図３を参照しながら説明する。なお、以下に示す上部パネル２１、下部パネル３１及び右側部パネル４１の構造は、一例であって、限定されるものではない。
図３は実施の形態の加熱調理器における前面パネルの上部パネル、下部パネル及び右側部パネルを裏側から見て示す斜視図である。
【００１９】
上部パネル２１は、本体ケース１の前面の幅方向に延びる長方形状の上パネル２１１と、上パネル２１１の下端から直角に裏面側に突出して更に直角に下方に延び、上パネル２１１と段差を有して形成された長方形状の下パネル２１２と、上パネル２１１の裏面の上端と両端の各縁部に設けられた枠体２１３と、下パネル２１２の裏面の両端と下端の各縁部に設けられた枠体２１４とを備えている。下パネル２１２は、裏面から見て、右側が上パネル２１１よりも短くなっている。
【００２０】
枠体２１３、２１４は、先端面が同一面上にあって、そのうちの枠体２１４の高さが、上パネル２１１と下パネル２１２との段差を境に、上パネル２１１側の枠体２１３よりも低くなっている。上パネル２１１の上端の縁部の枠体２１３には、本体ケース１の前面の上角部に設けられたスリット状の穴に係止する側面Ｌ字形状の係止板２１５が設けらている。下パネル２１２の裏面には、本体ケース１の前面に設けられたスリット状の穴に挿入する挿入板２１６が設けられている。その係止板２１５と挿入板２１６とによって、上部パネル２１が本体ケース１の前面に取り外し可能に取り付けられる。
【００２１】
下パネル２１２の裏面の挿入板２１６より外側に位置する部分には、下パネル２１２の高さ方向に延びる棒状の突起部２１７が設けられている。また、下パネル２１２の裏面には、突起部２１７をそれぞれ一辺とする長方形状の穴２１８が設けられている。上パネル２１１の左端の縁部の枠体２１３には、上パネル２１１の裏面側に開口を有する箱形状の側面取付部２１９が設けられている。この側面取付部２１９の表面には、上パネル２１１の高さ方向に延びるスリット状の穴２２０が設けられている。
【００２２】
下部パネル３１は、本体ケース１の前面の幅方向に延びる長方形状に形成され、上部パネル２１の下パネル２１２を前方から覆うための上パネル３１１と、上パネル３１１と一体に形成された下パネル３１２と、上パネル３１１の裏面の上端の縁部と左端の縁部に設けられた枠体３１３と、下パネル３１２の両端の縁部と下端の縁部に設けられた枠体３１４とを備えている。
【００２３】
枠体３１３と枠体３１４の高さは、上パネル３１１の枠体３１３が上部パネル２１の下パネル２１２の表面に接触したときに、枠体３１４の先端面が上部パネル２１の枠体２１４の先端面と同一面上になるように、それぞれ設定されている。
【００２４】
上パネル３１１の裏面には、上部パネル２１の下パネル２１２の裏面に設けられた長方形状の穴２１８に挿入する取付板３１５が設けられている。それぞれの取付板３１５の片面には、係止部３１６が設けられている。下パネル３１２の右端の縁部の枠体３１４のうち取付板３１５に対向する部分には、取付板３１５側に突出する凸部３１７が形成されている。また、下パネル３１２の下端の縁部の枠体３１４には、切り欠きされた切欠部３１８が設けられている。この切欠部３１８と本体ケース１の前面とで室内の空気を吸気口１４に導く空気取込口３１９が構成される。
【００２５】
右側部パネル４１は、本体ケース１の前面の高さ方向に延びる長方形状のパネル４１１と、パネル４１１の裏面の周縁部に設けられた枠体４１２、４１３とを備えている。
【００２６】
枠体４１２、４１３の高さは、パネル４１１の枠体４１３が上部パネル２１の側面取付部２１９の表面に接触したときに、枠体４１２の先端面が上部パネル２１の枠体２１３、２１４及び下部パネル３１の枠体３１４の先端面と同一面上になるように、それぞれ設定されている。
【００２７】
パネル４１１の裏面には、上下に案内板４１４が設けられている。また、パネル４１１の裏面には、上部パネル２１の側面取付部２１９に設けられたスリット状の穴２２０に挿入して、その側面取付部２１９の表面の板厚と係合する係止板４１５が設けられている。この係止板４１５の片側の面には、側面取付部２１９の穴２２０に嵌め込んだ状態で挿入されるように突起部４１５ａが設けられている。
【００２８】
次に、前面パネルの組み立て手順について、図４〜図６を用いて説明する。
図４は図３に示す上部パネルに下部パネルのみを組み付けたときの斜視図、図５は下部パネルを組み付けた上部パネルに右側部パネルを組み付けたときの斜視図、図６は上部パネル、下部パネル及び右側部パネルにより構成された前面パネルの正面図、上面図及び側面図である。
【００２９】
下部パネル３１の上パネル３１１を上部パネル２１の下パネル２１２と重ね合わせて、下部パネル３１を上部パネル２１側へ押すと、図４に示すように、下部パネル３１の裏面に設けられた２つの係止部３１６が凸部３１７とで上部パネル２１の穴２１８に嵌め込まれた状態で組み付けられる。そして、右側部パネル４１の係止板４１５を上部パネル２１の左側に設けられた側面取付部２１９の穴に嵌め込んで、右側部パネル４１を下方に移動させて右側部パネル４１の係止板４１５を側面取付部２１９の穴に係止させ、右側部パネル４１を上部パネル２１の側面に組み付ける。
【００３０】
上部パネル２１に下部パネル３１と右側部パネル４１を組み付けた場合、図６に示すような形状の前面パネル２０が構成される。この前面パネル２０を、本体ケースのグリル扉１２に隣接する前面を覆うように取り付ける。この場合、右側部パネル４１の案内板４１４で本体ケースの側面に沿わせながら、上部パネル２１の挿入板２１６を本体ケース１の前面に設けられたスリット状の穴に挿入すると、上部パネル２１の係止板２１５が本体ケース１の前面の上角部に設けられたスリット状の穴に係止される。この時、前面パネル２０は、上部パネル２１の挿入板２１６と係止板２１５とで、本体ケース１の前面に嵌め込まれた状態で組み付けられる。
【００３１】
この状態で、下部パネル３１を上部パネル２１から取り外す場合は、下部パネル３１の下部に設けられた切欠部３１８内に指を入れて手前に引くことで、下部パネル３１を取り外すことができる。
【００３２】
次に、前述の前面パネル２０を備えた加熱調理器を動作させたときの冷却風の流れについて、図７を参照しながら説明する。
図７は図１の加熱調理器を矢印Ｂ−Ｂ方向から見て示す模試的な加熱調理器の断面図において、加熱調理器の動作時の冷却風の流れを示す図である。
本体ケース１内の冷却ファン１５が運転を開始すると、本体ケース１とキッチンキャビネット５０との間の隙間５１から室内の空気が流入する。そして、その空気は、本体ケース１の後部に設けられた吸気口１４ａから本体ケース１内に吸引される。この時、下部パネル３１と本体ケース１の前面とで構成される空気取込口３１９から室内の空気が取り込まれ、本体ケース１の前面に設けられた吸気口１４から本体ケース１内に流入する。そして、その空気は、本体ケース１の底面と仕切板１ａとの間の風路１ｂを通り、制御基板１７ａを冷却しながら吸気口１４から本体ケース１内に流入する。本体ケース１内に吸引された空気は、制御カバー１６内及びその周辺に送り込まれ、電源基板１７ｂに実装されたヒートシンクを冷却し、次いで加熱コイル１８を冷却し、風路ダクト１７ｄを通って排気カバー１１の通気穴から外部へ排出される。
【００３３】
以上のように実施の形態によれば、上部パネル２１の枠体２１３、２１４によって、上部パネル２１に対向する本体ケース１の前面に複数の穴が開いていても、その穴から入り込んだ空気を枠体２１３、２１４によって遮蔽し、吸気口１４に流入するというショートサイクルを防止できる。
【００３４】
また、本体ケース１をキッチンキャビネット５０に組み込んだ後に、本体ケース１の前面に前面パネル２０を組み付けられるように構成したので、前面パネル２０を傷つけることなく、容易に本体ケース１をキッチンキャビネット５０に組み込むことができる。
【００３５】
また、本体ケース１の前面とで構成される空気取込口３１９を切欠部３１８にしているので、空気の吸気音が低減される。更に、空気取込口３１９を下方に向けているので、空気中の埃やゴミなどが吸引されることが殆どない。
【００３６】
また、下部パネル３１の下部に設けられた切欠部３１８を取っ手として用いることができるので、上部パネル２１からの取り外しが容易となり、本体ケース１の前面に設けられた吸気口１４の清掃を容易にできる。
【００３７】
なお、本実施の形態では、加熱調理器を手前から見て、本体ケース１の前面の左側にグリル扉を設け、右側に前面パネル２０を設けた加熱調理器について説明したが、本体ケース１の前面の右側にグリル扉を設け、左側に前面パネル２０を設けた加熱調理器に適用しても良い。
【符号の説明】
【００３８】
１  本体ケース、１ａ  仕切板、１ｂ  風路、２  天板、３  外枠、４  左載置部、５  右載置部、６  中央載置部、７  左表示部、８  中央表示部、９  右表示部、１０  操作部、１１  排気カバー、１２  グリル扉、１２ａ  左側部パネル、１４、１４ａ  吸気口、１５  冷却ファン、１６  制御カバー、１７ａ  制御基板、１７ｂ  電源基板、１７ｃ  ヒートシンク、１７ｄ  風路ダクト、１８  加熱コイル、２０  前面パネル、２１  上部パネル、２１１  上パネル、２１２  下パネル、２１３、２１４  枠体、２１５  係止板、２１６  挿入板、２１７  突起部、２１８  長方形状の穴、２１９  側面取付部、２２０  スリット状の穴、３１  下部パネル、３１１  上パネル、３１２  下パネル、３１３、３１４  枠体、３１５  取付板、３１６  係止部、３１７  凸部、３１８  切欠部、３１９  空気取込口、４１  右側部パネル、４１１  パネル、４１２、４１３  枠体、４１４  案内板、４１５  係止板、４１５ａ  突起部、５０  キッチンキャビネット、５１  隙間。
【図１】
2014119190.tif 000003
【図２】
2014119190.tif 000004
【図３】
2014119190.tif 000005
【図４】
2014119190.tif 000006
【図５】
2014119190.tif 000007
【図６】
2014119190.tif 000008
【図７】
2014119190.tif 000009